(57)【特許請求の範囲】
【請求項１】
地盤の内部に外管を配置する工程であって、当該外管の内部の土壌を排出しながら当該外管を配置する外管配置工程と、
前記外管配置工程の後に、前記外管の内部に内管を配置する工程であって、当該内管の管壁を貫通するように形成された内管孔と、水潤により膨張する膨張部材であって、前記地盤から前記外管を引き抜いた後における当該地盤と当該内管との相互間の空間部に介在するように、当該内管の外面における前記内管孔の周囲に配設された膨張部材と、を備える内管を、前記外管の内部に挿入する内管配置工程と、
前記内管配置工程の後に、前記地盤から前記外管を引き抜く外管引き抜き工程と、
前記内管配置工程の後であって、前記外管引き抜き工程の前後いずれか又は同時に、前記膨張部材を水潤により膨張させる膨張工程と、
前記外管配置工程の後であって、前記内管配置工程の前後いずれか又は同時に、止水材を注入する注入管を、前記外管と前記内管及び前記膨張部材との相互間に配置する注入管配置工程と、
前記外管引き抜き工程及び前記膨張工程の後に、前記膨張部材の相互間の空間部であって前記内管孔が位置していない止水対象空間部に、前記注入管を介して止水材を注入する止水材注入工程と、
を含む井戸の設置方法。
【請求項２】
前記膨張部材を、前記内管孔を挟んで前記内管の管軸方向に沿って並ぶ２位置の各々において、前記内管の周方向に沿った環状に配置する、
請求項１に記載の井戸の設置方法。
【請求項３】
前記止水材注入工程において、前記内管の管軸方向に沿って複数設けられた前記止水対象空間部の中で、前記注入管の挿入方向の最先側に位置する前記止水対象空間部から前記注入管の挿入方向の最後側に位置する前記止水対象空間部に至るまで順次に、前記注入管の挿入端部が各止水対象空間部に位置するように当該注入管を移動させ、前記止水材を注入する、
請求項１又は２に記載の井戸の設置方法。
【請求項４】
前記内管配置工程の後であって、前記外管引き抜き工程及び前記膨張工程の前後いずれか又は同時に、気体又は液体を注入されることで膨張する複数のパッカー袋と、前記複数のパッカー袋に前記気体又は前記液体を注入するパッカー管と、前記内管の内部において揚水または注水を行う揚注水管であって、当該揚注水管の管壁を貫通するように形成された揚注水孔を有する揚注水管とを、前記内管の内部に挿入するパッカー挿入工程と、
前記外管引き抜き工程、前記膨張工程、及び前記パッカー挿入工程の後に、前記地盤における揚注水対象位置に対応する前記内管の内管孔に対応する位置に、前記複数のパッカー袋の相互間に形成された揚注水空間部と前記揚注水孔とが配置されるように前記複数のパッカー袋及び前記揚注水管を移動させた後、前記パッカー管から前記気体又は前記液体を前記複数のパッカー袋に注入することにより当該複数のパッカー袋を膨張させて、前記揚注水孔の周囲における前記揚注水管と前記内管との相互間の空間部を塞ぐことにより、前記揚注水管を介して前記地盤から揚水または注水することを可能とするパッカー膨張工程と、
を含む請求項１から３のいずれか一項に記載の井戸の設置方法。 
【請求項５】
前記外管配置工程の前に、前記地盤に竪穴を配置する竪穴配置工程を含み、
前記外管配置工程において、前記竪穴から前記外管を配置する、
請求項１から４のいずれか一項に記載の井戸の設置方法。
【請求項６】
請求項１から５のいずれか一項に記載の方法によって設置された井戸。
【発明の詳細な説明】
【技術分野】
【０００１】
本発明は、井戸の設置方法、及び井戸に関する。
【背景技術】
【０００２】
従来、既存構造物下における地質調査や揚水処理、あるいは土壌浄化等のため、既存構造物下に井戸を設置する場合がある。この場合、既存構造物と干渉することなく井戸を設置するため、例えば斜めボーリングや、既存構造物の周辺に設置された竪穴からの水平ボーリング等の工法が提案されている。
【０００３】
例えば、地下坑道の側壁に削孔されたボーリング孔内に、複数の膨縮自在のパッカーを設置し、当該パッカーを膨張させることで当該パッカーを境壁としてボーリング孔内を複数の区間に区切り、各区間の間隙水圧等を測定する多点パッカー式孔内透水試験方法が提案されている（例えば特許文献１）。
【先行技術文献】
【特許文献】
【０００４】
【特許文献１】特許第２８０４９９５号公報
【発明の概要】
【発明が解決しようとする課題】
【０００５】
しかしながら、上述のような従来の方法では、削孔したボーリング孔から土壌、地下水、あるいはガス等の試料を採取した結果、ボーリング孔壁が土圧に耐え切れずに崩壊する可能性があり、ボーリング孔壁の崩壊に伴って地盤沈下が生じる可能性があった。このため、ボーリング孔から積極的に地下水等の試料採取を行うことが困難であった。
【０００６】
本発明は、上記に鑑みてなされたものであって、地盤沈下を抑制しつつ揚注水を行うことができる、井戸の設置方法、及び井戸を提供することを目的とする。
【課題を解決するための手段】
【０００７】
上述した課題を解決し、目的を達成するために、請求項１に記載の井戸の設置方法は、地盤の内部に外管を配置する工程であって、当該外管の内部の土壌を排出しながら当該外管を配置する外管配置工程と、前記外管配置工程の後に、前記外管の内部に内管を配置する工程であって、当該内管の管壁を貫通するように形成された内管孔と、水潤により膨張する膨張部材であって、前記地盤から前記外管を引き抜いた後における当該地盤と当該内管との相互間の空間部に介在するように、当該内管の外面における前記内管孔の周囲に配設された膨張部材と、を備える内管を、前記外管の内部に挿入する内管配置工程と、前記内管配置工程の後に、前記地盤から前記外管を引き抜く外管引き抜き工程と、前記内管配置工程の後であって、前記外管引き抜き工程の前後いずれか又は同時に、前記膨張部材を水潤により膨張させる膨張工程と、前記外管配置工程の後であって、前記内管配置工程の前後いずれか又は同時に、止水材を注入する注入管を、前記外管と前記内管及び前記膨張部材との相互間に配置する注入管配置工程と、前記外管引き抜き工程及び前記膨張工程の後に、前記膨張部材の相互間の空間部であって前記内管孔が位置していない止水対象空間部に、前記注入管を介して止水材を注入する止水材注入工程とを含む。
【０００８】
また、請求項２に記載の井戸の設置方法は、請求項１に記載の井戸の設置方法において、前記膨張部材を、前記内管孔を挟んで前記内管の管軸方向に沿って並ぶ２位置の各々において、前記内管の周方向に沿った環状に配置する。
【００１０】
また、請求項３に記載の井戸の設置方法は、請求項１又は２に記載の井戸の設置方法において、前記止水材注入工程において、前記内管の管軸方向に沿って複数設けられた前記止水対象空間部の中で、前記注入管の挿入方向の最先側に位置する前記止水対象空間部から前記注入管の挿入方向の最後側に位置する前記止水対象空間部に至るまで順次に、前記注入管の挿入端部が各止水対象空間部に位置するように当該注入管を移動させ、前記止水材を注入する。
【００１１】
また、請求項４に記載の井戸の設置方法は、請求項１から３のいずれか一項に記載の井戸の設置方法において、前記内管配置工程の後であって、前記外管引き抜き工程及び前記膨張工程の前後いずれか又は同時に、気体又は液体を注入されることで膨張する複数のパッカー袋と、前記複数のパッカー袋に前記気体又は前記液体を注入するパッカー管と、前記内管の内部において揚水または注水を行う揚注水管であって、当該揚注水管の管壁を貫通するように形成された揚注水孔を有する揚注水管とを、前記内管の内部に挿入するパッカー挿入工程と、前記外管引き抜き工程、前記膨張工程、及び前記パッカー挿入工程の後に、前記地盤における揚注水対象位置に対応する前記内管の内管孔に対応する位置に、前記複数のパッカー袋の相互間に形成された揚注水空間部と前記揚注水孔とが配置されるように前記複数のパッカー袋及び前記揚注水管を移動させた後、前記パッカー管から前記気体又は前記液体を前記複数のパッカー袋に注入することにより当該複数のパッカー袋を膨張させて、前記揚注水孔の周囲における前記揚注水管と前記内管との相互間の空間部を塞ぐことにより、前記揚注水管を介して前記地盤から揚水または注水することを可能とするパッカー膨張工程と、を含む。
【００１２】
また、請求項５に記載の井戸の設置方法は、請求項１から４のいずれか一項に記載の井戸の設置方法において、前記外管配置工程の前に、前記地盤に竪穴を配置する竪穴配置工程を含み、前記外管配置工程において、前記竪穴から前記外管を配置する。
【００１３】
また、請求項６に記載の井戸は、請求項１から５のいずれか一項に記載の井戸の設置方法によって設置される。
【発明の効果】
【００１４】
請求項１に係る井戸の設置方法、及び請求項６に係る井戸によれば、内管の外面における内管孔の周囲に膨張部材を配設し、外管の内部に内管を挿入した後に当該膨張部材を水潤により膨張させるので、横穴における内管孔以外の位置からの地下水の漏出を膨張部材により防止できると共に、膨張部材により横穴の壁面を保持することで崩壊を防止することができ、地盤の沈下を防止することができる。従って、既存構造物と干渉することなく当該既存構造物下に井戸を設置し、積極的に地下水等の試料採取を行うことができる。
また、止水対象空間部に注入管を介して止水材を注入するので、内管孔以外の位置からの地下水の漏出を更に確実に防止できる。また、内管孔及び膨張部材以外の位置における横穴の内部空間（止水対象空間部）が止水材で充填されるので、横穴の崩壊を確実に防止することができ、地盤の沈下を防止することができる。
【００１５】
また、請求項２に係る井戸の設置方法によれば、膨張部材を、内管孔を挟んで内管の管軸方向に沿って並ぶ２位置の各々において、内管の周方向に沿った環状に配置したので、内管孔を膨張部材によって確実に囲繞することができ、内管孔以外の位置からの地下水の漏出を確実に防止できる。
【００１７】
また、請求項３に係る井戸の設置方法によれば、注入管の挿入方向の最先側に位置する止水対象空間部から注入管の挿入方向の最後側に位置する止水対象空間部に至るまで順次に止水材を注入するので、複数の止水対象空間部を順次止水することができる。
【００１８】
また、請求項４に係る井戸の設置方法によれば、複数のパッカー袋、パッカー管、及び揚注水管を内管の内部に挿入し、地盤における揚注水対象位置に対応する内管の内管孔に対応する位置に揚注水空間部と揚注水孔とが配置されるように複数のパッカー袋及び揚注水管を移動させ、当該複数のパッカー袋を膨張させて、揚注水孔の周囲における揚注水管と内管との相互間の空間部を塞ぐことにより、揚注水管を介して地盤から揚注水することを可能とするので、所望の内管孔を選択して揚水あるいは薬液の注入を行うことができる。
【００１９】
また、請求項５に係る井戸の設置方法によれば、地盤に竪穴を配置し、当該竪穴から外管を配置するので、既存構造物の下方に略水平方向の井戸を設置することができる。
【図面の簡単な説明】
【００２０】
【図１】井戸の設置方法を用いて設置した井戸の概要図である。
【図２】竪穴配置工程により配置された竪穴を示す図であり、図２（ａ）は掘削された竪穴を示す図、図２（ｂ）は竪穴に開口部を設けた状態を示す図である。
【図３】外管配置工程において竪穴から略水平方向に削孔された横穴を示す図であり、図３（ａ）は横穴が削孔された状態を示す図、図３（ｂ）は削孔された横穴に外管が配置された状態を示す図である。
【図４】外管、当該外管の内部に配置された内管、及び注入管が配置された横穴の断面図である。
【図５】外管、内管、及び注入管の管軸方向と直交する断面を示す図である。
【図６】膨張工程を実施中の横穴の断面図である。
【図７】外管引き抜き工程により外管を引き抜いた後の横穴の断面図である。
【図８】内管、及び注入管の管軸方向と直交する断面を示す図である。
【図９】止水材注入工程における横穴の断面図である。
【図１０】止水材注入工程における横穴の断面図である。
【図１１】止水材注入工程における横穴の断面図である。
【図１２】パッカー挿入工程における内管の内部を示す概略図である。
【図１３】パッカー挿入工程における内管の内部を示す概略図である。
【図１４】内管における膨張部材の配置の変形例を示した概略図である。
【発明を実施するための形態】
【００２１】
以下に添付図面を参照して、この発明に係る井戸の設置方法、及び井戸の実施の形態を詳細に説明する。ただし、各実施の形態によって本発明が限定されるものではない。
【００２２】
（井戸の概要）
まず、本実施の形態に係る井戸の設置方法を用いて設置される井戸の概要について説明する。図１は井戸の設置方法を用いて設置した井戸の概要図である。本実施の形態では、図１に示すように、既存構造物１の地下の所定深度において複数の揚注水対象位置が設定されている場合を例として説明する。本実施の形態によれば、既存構造物１の近傍の地盤２に竪穴３が配置され、揚注水対象位置を貫通するように当該竪穴３から略水平方向に井戸４が設置される。これにより、既存構造物１と干渉することなく、当該既存構造物１の地下に井戸４を設置することができる。なお、図１では竪穴３に１本の井戸４のみを設置された状態を例示しているが、当該竪穴３に複数本の井戸４を設置してもよい。この場合、共通の竪穴３から複数本の井戸４を同一又は異なる深度に相互に並行に設置してもよく、あるいは共通の竪穴３から放射状に井戸４を設置してもよい。なお、井戸４は揚水を行うための揚水井戸、あるいは注水や薬液の注入等を行うための注水井戸として使用可能である。
【００２３】
（井戸の設置方法）
次に、井戸４の設置方法について説明する。井戸４の設置方法においては、「竪穴配置工程」、「外管配置工程」、「内管配置工程」、「注入管配置工程」、「膨張工程」、「外管引き抜き工程」、「止水材注入工程」、「パッカー挿入工程」、及び「パッカー膨張工程」が順次実施される。以下、これらの各工程について説明する。
【００２４】
（井戸の設置方法−竪穴配置工程）
竪穴配置工程は、地盤２に竪穴３を配置する工程である。図２は竪穴配置工程により配置された竪穴３を示す図であり、図２（ａ）は掘削された竪穴３を示す図、図２（ｂ）は竪穴３に開口部３ａを設けた状態を示す図である。この竪穴配置工程では、公知の地下掘削工法を用いて、井戸４の設置深度以上の深度まで竪穴３を掘削する。なお、竪穴３の開口径は任意であり、例えば以降の各工程で使用する建設機械を搬入可能な程度の開口径を有する竪穴３を配置する。
【００２５】
また、掘削した竪穴３の側壁の崩落防止のため、例えば側壁にはコンクリートが打設され、さらに井戸４を設置する部分には開口部３ａが設けられる（図２（ｂ））。この開口部３ａからの地下水の漏出を防ぐため、開口部３ａには薬液注入工法等の止水処理が施される。
【００２６】
（井戸の設置方法−外管配置工程）
外管配置工程は、地盤２の内部に外管を配置する工程であり、竪穴配置工程の後に実施される。図３は外管配置工程において竪穴３から略水平方向に削孔された横穴を示す図であり、図３（ａ）は横穴が削孔された状態を示す図、図３（ｂ）は削孔された横穴に外管が配置された状態を示す図である。図３（ａ）に示すように、竪穴３の側壁に設けられた開口部３ａから略水平方向に横穴５が削孔されると共に、当該削孔された横穴５に外管６が配置される。削孔と外管６の配置との具体的な工法は任意で、例えば公知のボーリングマシンを用いて、地盤２に挿入した外管６の内部の土壌を排出しつつ、さらに当該外管６を地盤２に挿入するケーシング掘りを行う。外管６の挿入については、例えば竪穴３の内部に搬入可能な程度の長さの複数の外管６を順次接続しながら横穴５の内部に挿入する。この様に配置された外管６により、後述する内管や注入管等を外管６の内部に配置するまで、横穴５の崩壊を防ぐことができる。なお、図３（ｂ）に示すように、一つの竪穴３から他の竪穴３まで横穴５を削孔すると共に外管６を配置してもよい。
【００２７】
（井戸の設置方法−内管配置工程及び注入管配置工程）
内管配置工程は、外管６の内部に内管を配置する工程である。また、注入管配置工程は、注入管を配置する工程である。これらの内管配置工程及び注入管配置工程は、上記の外管配置工程の後に実施される。なお、注入管配置工程は、内管配置工程の前後何れか又は同時に実施することができるが、本実施の形態では内管配置工程と同時に実施する場合を例として説明する。
【００２８】
図４は外管６、当該外管６の内部に配置された内管７、及び注入管が配置された横穴５の断面図、図５は外管６、内管７、及び注入管の管軸方向と直交する断面を示す図である。図４に示すように、内管７は、内管孔７ａ、及び膨張部材７ｂを備えている。内管孔７ａは、内管７の管壁を貫通するように形成された孔部であり、例えば内管７の軸方向にそって所定間隔にて形成されている。井戸４が設置された後、この内管孔７ａを介して地下水の揚水や薬液の注入等を行うことができる。この内管孔７ａは、例えば複数の小径孔を並設することで形成されるが、その他の任意の形状とすることができ、例えば図４に示すように内管孔７ａをメッシュ状に形成することもできる。なお、内管孔７ａを例えば礫石、豆砂利、珪砂、砂等によって形成されたフィルター層で覆うことにより、水や薬液等の液体のみを透過させるようにしてもよい。膨張部材７ｂは、水潤により膨張するものであって、内管７の外面における内管孔７ａの周囲に配設される。例えば、膨張部材７ｂは、図４に示すように内管孔７ａを挟んで当該内管７の管軸方向に沿って並ぶ２位置の各々に配設される。また図５に示すように、膨張部材７ｂは内管７の周方向に沿った環状に配置される。これにより、外管引き抜き工程において地盤２から外管６を引き抜いた後における当該地盤２と当該内管７との相互間の空間部に、膨張部材７ｂを介在させることができる。なお、膨張部材７ｂの具体的な構成は任意で、例えばナイスシール（アクリル酸塩・ビニルアルコール共重合体、スチレン・ブタジエン・ゴム）、アクアケルシーラー（合成ゴムと特殊高吸水性樹脂とで構成された加硫ゴム系水膨張性ゴム止水材）、ＭＷシーラー（非加硫ブチルゴム系水膨張シーラー）等を用いることができる。このように構成された内管７を、図４に示すように外管６の内部に配置する。
【００２９】
注入管８は、地盤２と内管７との相互間の空間部に水や止水材等を注入するためのものであり、外管６と内管７及び膨張部材７ｂとの相互間の空間において内管７に沿って配置される。例えば、図４に示すように注入間は内管７及び膨張部材７ｂと同時に外管６の内部に配置される。この注入管８の本数は任意で、例えば図４及び図５に示すように２本配置される。
【００３０】
（井戸の設置方法−膨張工程）
膨張工程は、膨張部材７ｂを水潤により膨張させる工程であり、上記の内管配置工程の後に実施される。なお、この膨張工程は、後述の外管引き抜き工程の前後いずれか又は同時に実施することができるが、本実施の形態では外管引き抜き工程の前に実施する場合を例として説明する。
【００３１】
図６は膨張工程を実施中の横穴５の断面図である。図６に示すように、膨張工程において注入管８から内管７と外管６との相互間に水を注入することにより、当該注入した水を膨張部材７ｂに含浸させ、当該膨張部材７ｂを膨張させることができる。膨張部材７ｂは、注入管８の先端から注入された水の流れに沿って、注入管８の先端側から竪穴３側に向かって順次膨張する。
【００３２】
（井戸の設置方法−外管引き抜き工程）
外管引き抜き工程は、地盤２から外管６を引き抜く工程であり、内管配置工程の後に実施される。図７は外管引き抜き工程により外管６を引き抜いた後の横穴５の断面図であり、図８は内管７、及び注入管８の管軸方向と直交する断面を示す図である。外管６の引き抜き方法は任意で、公知の引き抜き工法を用いることができる。外管６を引き抜くことにより、図７及び図８に示すように、地盤２と内管７との相互間の空間部に膨張部材７ｂを介在させることができる。
【００３３】
（井戸の設置方法−止水材注入工程）
止水材注入工程は、注入管８を介して止水材を注入する工程であり、外管引き抜き工程及び膨張工程の後に実施される。図９から図１１は、止水材注入工程における横穴５の断面図である。図９に示すように、膨張部材７ｂの相互間の空間部であって内管孔７ａが位置していない止水対象空間部９に、注入管８を介して止水材１０を注入する。この際、図９に示すように、内管７の管軸方向に沿って複数設けられた止水対象空間部９の中で、まず注入管８の挿入方向の最先側（先端側）に位置する止水対象空間部９から止水材１０の注入を開始する。その後、図１０に示すように注入管８の挿入方向の最後側に向かって注入管８を移動させ、注入管８の挿入端部が各止水対象空間部９に位置した場合に止水材１０を注入する。これを注入管８の挿入端部が当該注入管８の挿入方向の最後側に位置する止水対象空間部９に至るまで順次繰り返し、図１１に示すように全ての止水対象空間部９に止水材１０を注入した後、注入管８を横穴５から引き抜く。このように止水対象空間部９に注入された止水材１０が固化することにより、当該止水材１０によって横穴５の崩壊を防止することができ、地盤沈下を抑制することができる。
【００３４】
（井戸の設置方法−パッカー挿入工程）
パッカー挿入工程は、パッカー袋、パッカー管、及び揚注水管を内管７の内部に挿入する工程であり、上記の内管配置工程の後に実施される。なお、このパッカー挿入工程は、外管引き抜き工程及び膨張工程の前後いずれか又は同時に実施することができるが、本実施の形態では外管引き抜き工程及び膨張工程の後に実施する場合を例として説明する。図１２はパッカー挿入工程における内管７の内部を示す概略図である。図１２に示すように、内管７の内部には複数のパッカー袋１１、パッカー管１２、及び揚注水管１３が挿入される。パッカー袋１１は、気体又は液体を注入することで膨張する袋体であり、例えば膨縮自在なゴム等の弾性素材を用いて形成される。パッカー挿入工程においては、このパッカー袋１１の内部に液体又は気体が注入されていないため、パッカー袋１１は収縮した状態となっている。パッカー管１２は、パッカー袋１１の内部に液体又は気体を注入又は排出するための配管であり、各パッカー袋１１に接続されている。揚注水管１３は、内管７の内部において揚水又は注水を行うための管であり、当該揚注水管１３の管壁を貫通するように形成された揚注水孔１３ａを有している。揚注水管１３の管軸方向に沿って揚注水孔１３ａを挟む位置に、一対のパッカー袋１１が配設される。これらのパッカー袋１１、パッカー管１２、及び揚注水管１３は、内管７の内部において当該内管７の管軸方向に沿った任意の位置に挿入される。
【００３５】
（井戸の設置方法−パッカー膨張工程）
パッカー膨張工程は、パッカー袋１１を膨張させる工程であり、外管引き抜き工程、膨張工程、及びパッカー挿入工程の後に実施される。図１３はパッカー挿入工程における内管７の内部を示す概略図である。このパッカー膨張工程では、まず、地盤２における所望の揚注水対象位置に対応する内管７の内管孔７ａ（図１３中のＡ）に対応する位置に、パッカー袋１１の相互間に形成される揚注水空間部と揚注水孔１３ａとが配置されるように、パッカー袋１１及び揚注水管１３を移動させる。続いて、パッカー管１２から気体又は液体を内管孔７ａの両側のパッカー袋１１に注入し、各パッカー袋１１を膨張させる。これにより、揚注水孔１３ａの周囲における揚注水管１３と内管７との相互間の空間部がパッカー袋１１によって塞がれる。従って、地盤２における所望の揚注水対象位置において、内管孔７ａ及び揚注水孔１３ａから揚注水管１３を介して揚注水することが可能となる。あるいは、揚注水管１３から揚注水孔１３ａ及び内管孔７ａを介して薬液を地盤２における所望の位置に注入することも可能となる。
【００３６】
（実施の形態の効果）
このように実施の形態によれば、内管７の外面における内管孔７ａの周囲に膨張部材７ｂを配設し、外管６の内部に内管７を挿入した後に当該膨張部材７ｂを水潤により膨張させるので、横穴５における内管孔７ａ以外の位置からの地下水の漏出を膨張部材７ｂにより防止できると共に、膨張部材７ｂにより横穴５の壁面を保持することで崩壊を防止することができ、地盤２の沈下を防止することができる。従って、既存構造物１と干渉することなく当該既存構造物１の地下に井戸４を設置し、積極的に地下水等の試料採取を行うことができる。
【００３７】
また、膨張部材７ｂを、内管孔７ａを挟んで内管７の管軸方向に沿って並ぶ２位置の各々において、内管７の周方向に沿った環状に配置したので、内管孔７ａを膨張部材７ｂによって確実に囲繞することができ、内管孔７ａ以外の位置からの地下水の漏出を確実に防止できる。
【００３８】
また、止水対象空間部９に注入管８を介して止水材１０を注入するので、内管孔７ａ以外の位置からの地下水の漏出を更に確実に防止できる。また、内管孔７ａ及び膨張部材７ｂ以外の位置における横穴５の内部空間（止水対象空間部９）が止水材１０で充填されるので、横穴５の崩壊を確実に防止することができ、地盤２の沈下を防止することができる。
【００３９】
特に、注入管８の挿入方向の最先側に位置する止水対象空間部９から注入管８の挿入方向の最後側に位置する止水対象空間部９に至るまで順次に止水材１０を注入するので、複数の止水対象空間部９を順次止水することができる。
【００４０】
また、上述の効果に加えて、複数のパッカー袋１１、パッカー管１２、及び揚注水管１３を内管７の内部に挿入し、地盤２における揚注水対象位置に対応する内管７の内管孔７ａに対応する位置に揚注水空間部と揚注水孔１３ａとが配置されるように複数のパッカー袋１１及び揚注水管１３を移動させ、当該複数のパッカー袋１１を膨張させて、揚注水孔１３ａの周囲における揚注水管１３と内管７との相互間の空間部を塞ぐことにより、揚注水管１３を介して地盤２から揚注水することを可能とするので、所望の内管孔７ａを選択して揚水あるいは薬液の注入を行うことができる。
【００４１】
また、地盤２に竪穴３を配置し、当該竪穴３から外管６を配置するので、既存構造物１の地下に略水平方向の井戸４を設置することができる。
【００４２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４４】
（竪穴について）
上述の実施の形態では、地盤２に竪穴３を配置した後、当該竪穴３から略水平方向に外管６を配置すると説明したが、竪穴配置工程を省略し、地表から斜め方向に外管６を直接地盤２に挿入してもよい。この場合、井戸４は斜め井戸として設置されることとなる。これにより、竪穴３を配置することなく、既存構造物１の地下に当該既存構造物１と干渉することなく井戸４を設置することができる。
【００４５】
（各工程の実施順序について）
上述の実施の形態では、「竪穴配置工程」、「外管配置工程」、「内管配置工程」、「注入管配置工程」、「膨張工程」、「外管引き抜き工程」、「止水材注入工程」、「パッカー挿入工程」、及び「パッカー膨張工程」の順に各工程が実施される場合を例として説明したが、これらの各工程の相互の順序を入れ替えて実施するようにしてもよい。
【００４６】
例えば、上述の実施の形態では外管引き抜き工程の前に膨張工程を実施する場合を例として説明したが、外管引き抜き工程の後に膨張行程を実施してもよい。この場合、膨張部材７ｂと外管６との相互間の摩擦抵抗を低減することができ、外管６の引き抜き作業を一層容易に行うことができる。
【００４７】
また、上述の実施の形態では、外管引き抜き工程を全て完了した後に止水材注入工程を実施する場合を例として説明したが、外管引き抜き工程の完了前に止水材注入工程を実施してもよい。例えば、図９に示すように、内管７の管軸方向に沿って複数設けられた止水対象空間部９の１つを１ブロックとした場合に、注入管８の挿入方向の最先側（先端側）に位置する止水対象空間部９の１ブロックに相当する範囲にある外管６をまず引き抜き、当該止水対象空間部９を挟んで配置されている２つの膨張部材７ｂを水潤により膨張させる。その後に、当該止水対象空間部９に対し止水材１０を注入する。止水材１０の注入が完了したら、注入管８の先端が図９における左から２番目の止水対象空間部９に位置するまで当該注入管８を引き抜く。さらに、当該止水対象空間部９の１ブロックに相当する範囲にある外管６を引き抜き、当該止水対象空間部９を挟んで配置されている２つの膨張部材７ｂを水潤により膨張させ、当該止水対象空間部９に対し止水材１０を注入する。これを注入管８の先端が当該注入管８の挿入方向の最後側に位置する止水対象空間部９に至るまで行う。このように、止水対象空間部９のブロック毎に外管引き抜き工程、膨張工程、及び止水材注入工程を順次繰り返し実施してもよい。このように、地盤の地質に応じて各工程を並行して段階的に実施することで、さらに確実に地盤２の崩壊を防止することができ、地盤２の沈下を防止することができる。
【００４８】
（外管配置工程について）
上述の実施の形態では、図３（ａ）に示すように竪穴３の側壁に設けられた開口部３ａから略水平方向に横穴５を削孔し、当該横穴５に外管６を配置すると説明したが、竪穴３の開口部３ａから非水平方向（例えば、斜め方向や曲がり形状等）に横穴５を削孔し、当該横穴５に外管６を配置してもよい。
【００４９】
（膨張部材について）
上述の実施の形態では、膨張部材７ｂは内管孔７ａを挟んで当該内管７の管軸方向に沿って並ぶ２位置の各々において、内管７の周方向に沿った環状に配置されると説明したが、これとは異なる配置としてもよい。例えば、図１４に示すように、内管７の外面において各内管孔７ａの周囲を取り囲むように膨張部材７ｂを配置してもよい。このように配置した場合であっても、横穴５における内管孔７ａ以外の位置からの地下水の漏出を膨張部材７ｂにより防止できる。
【００５０】
（止水材注入工程について）
上述の実施の形態では、止水対象空間部９に止水材１０を注入する止水材注入工程を実施すると説明したが、当該止水材注入工程を省略してもよい。この場合、横穴５における内管孔７ａ以外の位置からの地下水の漏出を膨張部材７ｂのみによって防止すると共に、膨張部材７ｂにより横穴５の壁面を保持することで崩壊を防止する。
【００５１】
（パッカー挿入工程及びパッカー膨張工程について）
上述の実施の形態では、パッカー挿入工程及びパッカー膨張工程を実施すると説明したが、これらのパッカー挿入工程及びパッカー膨張工程を省略してもよい。この場合、全ての内管孔７ａから内管７を介して一斉に地盤２から揚水あるいは薬液の注入を行うことができる。
【符号の説明】
【００５２】
１  既存構造物
２  地盤
３  竪穴
３ａ  開口部
４  井戸
５  横穴
６  外管
７  内管
７ａ  内管孔
７ｂ  膨張部材
８  注入管
９  止水対象空間部
１０  止水材
１１  パッカー袋
１２  パッカー管
１３  揚注水管
１３ａ  揚注水孔
【図１】
0005461960.tif 000002
【図２】
0005461960.tif 000003
【図３】
0005461960.tif 000004
【図４】
0005461960.tif 000005
【図５】
0005461960.tif 000006
【図６】
0005461960.tif 000007
【図７】
0005461960.tif 000008
【図８】
0005461960.tif 000009
【図９】
0005461960.tif 000010
【図１０】
0005461960.tif 000011
【図１１】
0005461960.tif 000012
【図１２】
0005461960.tif 000013
【図１３】
0005461960.tif 000014
【図１４】
0005461960.tif 000015